(57)【要約】【課題】米粒の表面の胚芽部を残して糠層を除去すると共に、手を濡らすことなく誰でもが簡単に米研ぎができる小型軽量の米研ぎ器の提供を図る。【解決手段】上部密封キャップと、金網容器と、外筒体と、下部密封キャップと、で構成される米研ぎ器であって、上部密封キャップと、下部密封キャップと、を外筒体の上下方向から螺合することによって、金網容器が、外筒体の内径筒部に一定間隔の隙間を形成して締め付け固定される手段を採る。【選択図】図２
2011177591.tif 000002
【特許請求の範囲】
【請求項１】
上部密封キャップと、金網容器と、外筒体と、下部密封キャップと、で構成される米研ぎ器であって、
前記上部密封キャップは、合成樹脂素材で形成され、
塞閉側中央部には密封キャップ蓋が係合される給水口を形成し、
塞閉側突当面には複数の逃げ溝を形成し、
開口側内側には前記外筒体の上部に螺合するネジ部を形成して成り、
前記金網容器は、防錆力の高い金属素材の金網で形成し、
上部は取っ手を備える開口口を設け、
下部は金網で封鎖される濾過口を設け、
前記外筒体に対してやや長い胴長寸法を形成して成り、
前記外筒体は、合成樹脂製の透明素材でパイプ状に形成し、
上部の外周部には前記上部密封キャップを螺合するネジ部を形成し、
下部の外周部には前記下部密封キャップを螺合するネジ部を形成し、
内径筒部には前記金網容器との一定間隔の隙間を形成する係止突起を複数内設して成り、
前記下部密封キャップは、合成樹脂素材で形成され、
塞閉側中央部には密封キャップ蓋が係合される排水口を形成し、
塞閉側突当面には複数の逃げ溝を形成し、
開口側内側には前記外筒体の下部に螺合するネジ部を形成して成り、
前記上部密封キャップと、前記下部密封キャップと、を前記外筒体の上下方向から螺合することによって、
前記金網容器が、前記外筒体の内径筒部に一定間隔の隙間を形成して締め付け固定されることを特徴とする米研ぎ器。
【発明の詳細な説明】
【技術分野】
【０００１】
本発明は、米粒の表面の胚芽部を残して糠層を除去すると共に、手を濡らすことなく誰でもが簡単に米研ぎができる米研ぎ器に関する。
【背景技術】
【０００２】
従来の道具や装置を使って米を研ぐ手段としては、容器内の米を回転羽根で攪拌して米研ぎを行う手動式ならびに電動式の米研ぎ装置や、攪拌ブラシならびに穴の空いたしゃもじで攪拌して洗米する洗米具や、容器内に流水を通して洗米する洗米器や、容器内に米と研ぎ水を入れて揺動攪拌する米とぎ器など多種多様の米研ぎ用の道具や装置が開発され、実用化されている。
【０００３】
例えば、上記の容器内の米を回転羽根で攪拌して米研ぎを行う手動式ならびに電動式の米研ぎ装置においては、米と回転羽根との衝突によって米粒の表面に割れが入る問題、装置自体が大型で重量がある問題、収納ならびに設置スペースを取る問題、装置自体の構造が複雑である問題、購入価格が高額である問題、操作が面倒である問題、電気料金がかかる問題など、多くの問題があるものであった。
【０００４】
また、攪拌ブラシならび穴の空いたしゃもじで攪拌して洗米する洗米具においては、洗米具自体が、軽量、廉価、使い勝手が良いなどの利点があるが、容器内で米を攪拌して洗米する方法であるため、米の表面が用具との衝突によって割れたりする問題や、米粒の表面の糠層を均等に洗い落とすことができないなどの問題があるものであった。
【０００５】
また、容器内に流水を通して洗米する洗米器は、大量の研ぎ水を使用するため水道料金の無駄使いが懸念されるもので、昨今の水資源の倹約志向と相反する問題があるものであった。
【０００６】
また、容器内に米と研ぎ水を入れて揺動攪拌（シェーク）する米とぎ器においては、例えば、「米とぎ容器」（特許文献１参照）や、「人体を濡らさないで出来る米とぎ器」（特許文献２参照）などが提案されている。しかしながら、これらの提案は、米研ぎ器自体が小型である、収納に場所を取らない、構造が軽量・簡易である、購入価格が廉価である、操作が簡単であるなどの多くの利点があるものの、使用に際して研ぎ水が少なすぎると容器の壁体に米粒が直接衝突するため米粒の表面が割れたりする問題や、研ぎ水が多すぎると米粒同士が擦れ合わないため米研ぎ効果が悪くなるなどの問題があるものであった。
【０００７】
本出願人は、以上のような従来の米研ぎ器の問題点を解決するために、ザルに米を入れ、揉み洗いと流水の注ぎを繰り返す飯炊き職人の熟練された米研ぎ手法に着目し、米粒同士の擦れ合いと米粒と金網の網目抵抗による擦れを利用することによって、米粒の表面の胚芽部を残して糠層を除去すると共に、手を濡らすことなく誰でもが簡単に米研ぎができないものかとの着想の下、上部密封キャップと金網容器と外筒体と下部密封キャップとで構成される小型軽量の米研ぎ器を開発し、本発明の「米研ぎ器」の提案に至るものである。
【先行技術文献】
【特許文献】
【０００８】
【特許文献１】実用新案登録第３１２８７０８号公報
【特許文献２】特開平１０-３１４０５１号公報
【発明の概要】
【発明が解決しようとする課題】
【０００９】
本発明は上記問題点に鑑み、米粒の表面の胚芽部を残して糠層を除去すると共に、手を濡らすことなく誰でもが簡単に米研ぎができる小型軽量の米研ぎ器の提供を図る。
【課題を解決するための手段】
【００１０】
本発明の米研ぎ器は、上部密封キャップと、金網容器と、外筒体と、下部密封キャップと、で構成される米研ぎ器であって、前記上部密封キャップは、合成樹脂素材で形成され、塞閉側中央部には密封キャップ蓋が係合される給水口を形成し、塞閉側突当面には複数の逃げ溝を形成し、開口側内側には前記外筒体の上部に螺合するネジ部を形成して成り、前記金網容器は、防錆力の高い金属素材の金網で形成し、上部は、取っ手を備える開口口を設け、下部は金網で封鎖される濾過口を設け、前記外筒体に対してやや長い胴長寸法を形成して成り、前記外筒体は、合成樹脂製の透明素材でパイプ状に形成し、上部の外周部には前記上部密封キャップを螺合するネジ部を形成し、下部の外周部には前記下部密封キャップを螺合するネジ部を形成し、内径筒部には前記金網容器との一定間隔の隙間を形成する係止突起を複数内設して成り、前記下部密封キャップは、合成樹脂素材で形成され、塞閉側中央部には密封キャップ蓋が係合される排水口を形成し、塞閉側突当面には複数の逃げ溝を形成し、開口側内側には前記外筒体の下部に螺合するネジ部を形成して成り、前記上部密封キャップと、前記下部密封キャップと、を前記外筒体の上下方向から螺合することによって、前記金網容器が、前記外筒体の内径筒部に一定間隔の隙間を形成して締め付け固定される手段を採る。
【発明の効果】
【００１１】
本発明の米研ぎ器によれば、金網容器に収納した米粒を外筒体と密封キャップで密封する構造を採用しているため、ネイル装飾を施した爪や、荒れた手を濡らすことなく誰でもが簡単に米研ぎができる優れた効果を奏する。
【００１２】
また、本発明の米研ぎ器によれば、小型であるため収納スペースをとらない、軽量であるため疲れにくい、簡単構造であるため誰にでも扱い易いなどの優れた効果を奏する。
【００１３】
また、本発明の米研ぎ器によれば、構成される部品点数が極めて少なく簡易且つ量産構造であるため、製造コストならびに購入価格が低廉である優れた効果を奏する。
【００１４】
また、本発明の米研ぎ器によれば、米粒同士の擦れ合いと米粒と金網の網目抵抗による擦れを利用する構造と、金網容器と外筒体の間に隙間を設けて流動する研ぎ水の量を傾き角度によって自在に調節することができるため、米粒に優しい米研ぎ効果が得られる優れた効果を奏する。
【００１５】
また、本発明の米研ぎ器によれば、外筒体が合成樹脂製の透明素材で形成されていることによって、米研ぎ状態が外部から確認することができる優れた効果を奏する。
【図面の簡単な説明】
【００１６】
【図１】本発明の米研ぎ器の全体を示す斜視図である。（実施例１）
【図２】本発明の米研ぎ器の全体を示す分解斜視図である。
【図３】本発明の米研ぎ器の断面説明図である。
【図４】本発明の米研ぎ器の使用状態を示す断面説明図である。
【図５】本発明の米研ぎ器の使用状態を示す手順図（その１）である。
【図６】本発明の米研ぎ器の使用状態を示す手順図（その２）である。
【発明を実施するための形態】
【００１７】
本発明の米研ぎ器は、上部密封キャップと金網容器と外筒体と下部密封キャップとで構成される米研ぎ器であって、上部密封キャップと下部密封キャップとを外筒体の上下方向から螺合することによって、金網容器が外筒体の内径筒部に一定間隔の隙間を形成して締め付け固定される手段を採ったことを最大の特徴とするもので、以下、実施例を図面に基づいて説明する。
【００１８】
また、本発明の米研ぎ器の形状と大きさならびに連結手段には、下記に述べる実施例に特に限定されるものでなく、本発明の技術的思想に逸脱しない範囲で任意に変更することができる。
【実施例１】
【００１９】
図１は、本発明の米研ぎ器の全体を示す斜視図である。
本発明の米研ぎ器１は、上部密封キャップ３０と金網容器１０と外筒体２０と下部密封キャップ４０とで構成される小型軽量の米研ぎ器である。
【００２０】
図２は、本発明の米研ぎ器の全体を示す分解斜視図である。
本発明の米研ぎ器１は、上部密封キャップ３０と金網容器１０と外筒体２０と下部密封キャップ４０とで構成される米研ぎ器１であって、該外筒体２０の内径筒部２１には、金網容器１０との一定間隔の隙間Ｓを形成する係止突起２２を複数内設して形成される。
【００２１】
金網容器１０は、防錆力の高いステンレス製等の金網で形成され、上部には外筒体２０から引き出しやすい取っ手１３を備えると共に、計量カップＣで計量した米を入れる開口口１１を設け、下部には側面と同じメッシュのステンレス製等の金網で封鎖される濾過口１２を設けている。また使用時においては、外筒体２０に対してやや長い胴長寸法Ｔを形成することで、外筒体２０内に収納された時に上下方向から上部密封キャップ３０と下部密封キャップ４０のねじ込みによって押さえ込まれ、さらに外筒体２０の内径筒部２１に複数内設されている係止突起２２によって一定間隔の隙間Ｓを形成するものである。
【００２２】
外筒体２０は、使用中において外部から米研ぎ状態が確認できる合成樹脂製の透明素材で形成され、上部の外周部には内径筒部２１を密封する上部密封キャップ３０を螺合するネジ部２３と、下部の外周部には内径筒部２１を密封する下部密封キャップ４０を螺合するネジ部２４を形成し、内径筒部２１には金網容器１０との一定間隔の隙間Ｓを形成する係止突起２２を複数内設して形成されるものである。
【００２３】
係止突起２２は、外筒体２０の内径筒部２１に複数内設されるもので、外筒体２０と金網容器１０との一定間隔の隙間Ｓを形成する目的で設けられるものである。図示では外筒体２０の内径筒部２１に設けられているが、金網容器１０の外周部に金属板突起を設けることや、全体をリング状にして外筒体２０の内径筒部２１に嵌め込むことも可能である。
【００２４】
上部密封キャップ３０は、合成樹脂素材で形成され、塞閉側中央部には密封キャップ蓋３４が係合される給水口３２を形成し、開口側内側には外筒体２０の上部に螺合するネジ部３１と、塞閉側突当面には複数の逃げ溝３３を形成するものである。
【００２５】
密封キャップ蓋３４は、比較的軟質の合成樹脂素材で形成され、上部密封キャップ３０の塞閉側中央部に設けられる給水口３２に係合されるものである。該係合手段としては凹凸溝、嵌合、螺合、嵌め込み等の手段が考えられるが、本発明に関する係合手段としてはその選択を特に制限するものではない。
【００２６】
下部密封キャップ４０は、合成樹脂素材で形成され、塞閉側中央部には密封キャップ蓋４４が係合される排水口４２を形成し、開口側内側には外筒体２０の下部に螺合するネジ部４１と、塞閉側突当面には複数の逃げ溝４３を形成するものである。
【００２７】
密封キャップ蓋４４は、比較的軟質の合成樹脂素材で形成され、下部密封キャップ４０の塞閉側中央部に設けられる排水口４２に係合されるものである。該係合手段としては凹凸溝、嵌合、螺合、嵌め込み等の手段が考えられるが、本発明に関する係合手段としてはその選択を特に制限するものではない。
【００２８】
隙間Ｓは、外筒体２０の内径筒部２１に複数内設されている係止突起２２によって金網容器１０との一定間隔を保つ目的で設けられるものである。
【００２９】
図３は、本発明の米研ぎ器の断面説明図である。
図３（a）は米研ぎ器の縦断面図を示し、図３（b）は米研ぎ器の横断面図を示す。
本発明の米研ぎ器１は、外筒体２０の内径筒部２１に複数内設されている係止突起２２によって金網容器１０との間に一定間隔の隙間Ｓを形成するものである。また、金網容器１０は、外筒体２０内に収納された時に上下方向から上部密封キャップ３０と下部密封キャップ４０のねじ込みによって押さえ込まれて締め付け固定されるものである。
【００３０】
図４は、本発明の米研ぎ器の使用状態を示す断面説明図である。
図４（a）は米研ぎ器の縦断面図を示す。
使用状態における米粒Ｒと研ぎ水Ｗの作用状態を示すもので、外筒体２０と金網容器１０との間に一定間隔の隙間Ｓが存在することで、米研ぎ器１全体を傾けることによって適度な研ぎ水（流動水）を含んだ状態に調整しながら米研ぎができるものである。
【００３１】
図４（b）は米研ぎ器の横断面図を示す。
図示される左右に振る状態で、金網容器１０に収納された研ぎ水（流動水）を含んだ米粒Ｒが、米粒Ｒ同士および米粒Ｒと金網の網目抵抗との擦り合いを利用して左右に移動させることによって、米粒Ｒの表面の胚芽部を残して糠層をやさしく研ぎ落すことができるものである。さらに上下に回転することによって金網容器１０に収納された研ぎ水（流動水）を含んだ米粒Ｒを混ぜ返して米研ぎができるものである。
【００３２】
図４（ｃ）は米研ぎ器の使用状態における横断面図を示す。
図示される両側を上下に傾ける状態で、金網容器１０に収納された研ぎ水（流動水）を含んだ米粒Ｒが、米粒Ｒ同士および米粒Ｒと金網の網目抵抗との擦り合いを利用して左右に移動させることによって、米粒Ｒの表面の胚芽部を残して糠層をやさしく研ぎ落すことができるものである。
【００３３】
図５は、本発明の米研ぎ器の使用状態を示す手順図（その１）である。
（1）米研ぎ器１を構成する上部密封キャップ３０と密封キャップ蓋３４と金網容器１０と外筒体２０と下部密封キャップ４０と密封キャップ蓋４４を分解して準備する。
（2）金網容器１０の開口口１１に計量カップＣで計った米を入れる。
（3）下部密封キャップ４０を組み入れた外筒体２０に米粒Ｒを入れた金網容器１０を収納し、上部密封キャップ３０を上からねじ込んで金網容器１０を締め付け固定する。
（4）上部密封キャップ３０の給水口３２に浄水器で濾過した水道水を流し込む。
・暫く水道水を流し込んで米粒Ｒの表面に付着しているゴミや糠層を米研ぎ器１全体を軽く揺すりながら洗い流す。
・米研ぎ器１の下方の下部密封キャップ４０の排水口４２から出る水道水の濁り具合が少なくなったら、下部密封キャップ４０の密封キャップ蓋４４を閉める。
（5）米研ぎ器１内で洗米する米量に対して米粒Ｒが満遍なく流動する適量の水道水を注ぎ込み、上部密封キャップ３０の密封キャップ蓋３４を閉める。
【００３４】
図６は、本発明の米研ぎ器の使用状態を示す手順図（その２）である。
（６）米研ぎ器１を横向きにし、金網容器１０内に収納した米粒Ｒ同士または米粒Ｒと金網の網目抵抗による擦れる感触を感じながら米研ぎ器１全体を左右上下にゆっくりと揺動させる。さらに米研ぎ器１を回転させて金網容器１０内に収められた米粒Ｒが満遍なく米粒Ｒ同士または米粒Ｒと金網の網目抵抗による擦れ合う感触を感じながら前後左右にゆっくりと揺動させて米研ぎを行う。（波の音を奏でる音楽楽器のオーシャンドラム、レインステックや、マラカスを演奏する要領で揺動させる）
（7）下部密封キャップ４０の密封キャップ蓋４４を開いて米研ぎ器１内の研ぎ水Ｗを洗い流す。
（8）（5）〜（7）を数回繰り返す。
（9）透明素材で形成される外筒体２０の外部から目視で確認するか、または金網容器１０の濾過口１２および下部密封キャップ４０の逃げ溝４３から排水される研ぎ水Ｗの濁り度合いが適度に透き通ってきた状態になってきたら、外筒体２０から上部密封キャップ３０を外し、さらに金網容器１０の取っ手１３を持って金網容器１０を取り出し、研ぎ水Ｗを充分に切る。
（10）炊飯器のお釜Ｋに金網容器１０に収納されている研いだ米粒Ｒを移し、適量の水を張る。
（11）使用した上部密封キャップ３０と密封キャップ蓋３４と金網容器１０と外筒体２０と下部密封キャップ４０と密封キャップ蓋４４を洗って終了する。
【００３５】
米研ぎ中において、上部密封キャップ蓋３４ならびに上部密封キャップ蓋４４の取り付け取り外しが面倒な場合、上部密封キャップ３０の給水口３２と下部密封キャップ４０の排水口４２を直接掌で塞ぐことによって、掌の一部が多少濡れるものの、ネイル装飾や手荒れに影響なく手早く米研ぎ作業ができるものである。
【産業上の利用可能性】
【００３６】
本発明の米研ぎ器は、一般家庭で料理される赤飯や混ぜご飯に使われる豆類の水洗いや、浸置き具としても利用できることから、本発明における米研ぎ器の産業上の利用可能性は大とするものと解する。
【符号の説明】
【００３７】
１    米研ぎ器
１０  金網容器
１１  開口口
１２  濾過口
１３  取っ手
２０  外筒体
２１  内径筒部
２２  係止突起
２３  ネジ部
２４  ネジ部
３０  上部密封キャップ
３１  ネジ部
３２  給水口
３３  逃げ溝
３４  密封キャップ蓋
４０  下部密封キャップ
４１  ネジ部
４２  排水口
４３  逃げ溝
４４  密封キャップ蓋
Ｓ    隙間
Ｋ    炊飯器のお釜
Ｃ    計量カップ
Ｗ    研ぎ水
Ｒ    米粒
Ｔ    胴長寸法
【図１】
2011177591.tif 000003
【図２】
2011177591.tif 000004
【図３】
2011177591.tif 000005
【図４】
2011177591.tif 000006
【図５】
2011177591.tif 000007
【図６】
2011177591.tif 000008